(57)【要約】【課題】ページ上に配置された部品画像それぞれに指定された網点パターンの種類を一覧することができ、また特定の網点パターンが指定されている部品画像を一括して選択することができ、さらに選択した部品画像の網点パターンの変更を容易に行うことができるレイアウト編集装置、レイアウト編集装置における部品画像表示方法、およびプログラムを提供することにある。【解決手段】複数の部品画像それぞれに割り当てられた異なる種類の網点パターンを取得し、該取得した網点パターン名を一覧表示することにより、網点パターンを指定することが可能となる。一覧表示された網点パターン名が指定されると、該網点パターンが割り当てられた部品画像を選択して表示手段に表示する。【選択図】    図６
2005141534.tif 000002
【特許請求の範囲】
【請求項１】
複数種類の網点パターンが割り当てられた複数の画像部品が配置されたページデータの編集を行うレイアウト編集装置であって、
前記部品画像に割り当てられた網点パターンを取得する網点パターン取得手段と、
前記網点パターン取得手段により取得された前記網点パターンの名称を表示手段に一覧表示する網点パターン名一覧表示手段と、
前記網点パターン名一覧表示手段により表示された網点パターン名一覧より前記網点パターンを指定する網点パターン名指定手段と、
前記網点パターン名指定手段により指定された網点パターンが割り当てられた前記部品画像を選択して前記表示手段に表示する部品画像選択表示手段と、を有することを特徴とするレイアウト編集装置。
【請求項２】
前記部品画像選択表示手段により選択表示された前記部品画像の一つを特定する部品画像特定手段と、
前記部品画像特定手段により特定された部品画像に関する部品画像情報を取得して前記表示手段に表示する特定部品画像情報表示手段と、
を有することを特徴とする請求項１に記載のレイアウト編集装置。
【請求項３】
前記特定部品画像情報表示手段に表示される部品画像情報が、前記特定された部品画像に関わるトラッピング、トランスペアレンシー、前記網点パターンの網角度であること、を特徴とする請求項２に記載のレイアウト編集装置。
【請求項４】
前記部品画像特定手段により特定された部品画像に割り当てられた前記網点パターンの変更を行う網点パターン変更手段と、を有することを特徴とする請求項２に記載のレイアウト編集装置。
【請求項５】
前記網点パターン名一覧表示手段において、部品画像に割り当てられた網点パターンについて、ＲＩＰ処理に使用不可能な網点パターン名については別色で表示すること、を特徴とする請求項１に記載のレイアウト編集装置。
【請求項６】
複数種類の網点パターンが割り当てられた複数の画像部品が配置されたページデータの編集を行うレイアウト編集装置における部品画像表示方法であって、
前記部品画像に割り当てられた網点パターンを取得する網点パターン取得工程と、
前記網点パターン取得工程により取得された前記網点パターンの名称を表示手段に一覧表示する網点パターン名一覧表示工程と、
前記網点パターン名一覧表示工程により表示された網点パターン名一覧より前記網点パターンを指定する網点パターン名指定工程と、
前記網点パターン名指定工程により指定された網点パターンが割り当てられた前記部品画像を選択して前記表示手段に表示する部品画像選択表示工程と、を有することを特徴とするレイアウト編集装置における部品画像表示方法。
【請求項７】
前記部品画像選択表示工程により選択表示された前記部品画像の一つを特定する部品画像特定工程と、
前記部品画像特定工程により特定された部品画像に関する部品画像情報を取得して前記表示手段に表示する特定部品画像情報表示工程と、
を有することを特徴とする請求項６に記載のレイアウト編集装置における部品画像表示方法。
【請求項８】
一般的に使用されているコンピュータにおいて、複数種類の網点パターンが割り当てられた複数の画像部品が配置されたページデータの編集を行うレイアウト編集装置を実現するためのプログラムであって、
前記部品画像に割り当てられた網点パターンを取得する網点パターン取得機能と、
前記網点パターン取得機能により取得された前記網点パターンの名称を表示手段に一覧表示する網点パターン名一覧表示機能と、
前記網点パターン名一覧表示機能により表示された網点パターン名一覧より前記網点パターンを指定する網点パターン名指定機能と、
前記網点パターン名指定機能により指定された網点パターンが割り当てられた前記部品画像を選択して前記表示手段に表示する部品画像選択表示機能と、を有することを特徴とするプログラム。
【発明の詳細な説明】
【技術分野】
【０００１】
本発明は、ページの編集を行うレイアウト編集装置に関するものであり、特にページに配置された部品画像の網点パターンの種類、網角度の確認、設定を容易に行うことができるレイアウト編集装置、レイアウト編集装置における部品画像表示方法、およびプログラムに関する。
【背景技術】
【０００２】
最近の製版印刷工程では、デザイナーがコンピュータを使用して、文字、ロゴ、画像、イラストなどの印刷物を構成するための複数種類の部品画像をページ上にレイアウトすることによるページデータの作成が一般的に行なわれている。このようなページデータは、PostScript（米Adobe Systems社の商標）やPDF（Portable Document Format）などのページ記述言語形式のデータであるため、そのまま直接印刷を行うことができない。ページ記述言語で記述されたページデータは、ＲＩＰ装置においてラスタライズ処理が行なわれることにより、印刷装置で印刷可能な形式の印刷データに変換される。
【０００３】
ＲＩＰ装置におけるラスタライズ処理では、次のようなプロセスを実行している。
１）ページデータを記述しているページ記述言語のスクリプトを解析し、ページを表現する多値のビットマップデータを作成する
２）ページを表現する多値のビットマップデータに対して、網掛け（スクリーーニング）処理を行い、２値のビットマップデータに変換する。すなわち、連続階調で濃淡画像を表すデータから、網点の数、大きさで濃淡画像を表す網点データに変換を行う
【０００４】
この網点データを作成するための網掛け処理の種類は、網線数、網点形状、および網角度によって特定される。すなわち、作成される網点データにおける網点パターンは、網線数、網点形状、網角度によって特定される。ＲＩＰ装置によって変換された網点データは、プレートレコーダやデジタル印刷機などの出力装置に送られ、網点によってページを表現する印刷物の作成に供される。
このような製版印刷工程において、網点データを作成すべく網掛け処理を行なう際に、ページ上にレイアウトされた部品画像に対し、ＲＩＰ装置において網掛け処理時にそれぞれ異なる網点パターンを指定して網掛け処理が実行されることがあり、該網掛け処理は、「マルチスクリーニング」と呼ばれている。
【特許文献１】特開２００２―１４２１１４号公報
【発明の開示】
【発明が解決しようとする課題】
【０００５】
製版印刷工程において、ページ上にレイアウトされた部品画像に対して、マルチスクリーニングを行うために、部品画像ごとに網点パターンを指定する工程の追加が必要となる。デザイナーが作成したページデータを、レイアウト編集装置が読み込み、該読み込まれたページデータの部品画像に対して、レイアウト編集装置のオペレータが網点パターンをそれぞれ指定することにより、部品画像ごとに網点パターンを指定する工程が実現されていた。
しかし、部品画像に網点パターンを指定した後、どの部品画像にどの網点パターンが指定されているかを一括して確認する方法が存在せず、ページデータの検収をする際、ページ上の部品画像を逐一指定して、網点パターンを調べるしかなかったため、工数がかかるという問題点があった。
【０００６】
また、部品画像について、印刷時の抜けを防ぐトラッピングやトランスペアレンシー（透過）が設定されていた場合、網点パターンを指定した該部品画像の下位の部品画像を考慮して網角度の変更を行う必要があるが、従来のレイアウト編集装置はそのような機能を有していなかった。
【０００７】
さらに、デザイナーがページ上に部品画像をレイアウトしたページデータを作成した際に、部品画像ごとに異なる網点パターンを指定する場合もある。このとき、デザイナーのコンピュータとＲＩＰ装置とが分離されている状態がほとんどなので、デザイナーが指定した網点パターンをＲＩＰ装置が有していない場合もある。このような時、デザイナーの指定した網点パターンがＲＩＰ装置では使用不可能であることを確認し、ＲＩＰ装置で使用可能な網点パターンに変更する必要があるが、従来のレイアウト編集装置はやはりそのような機能を有していなかった。
【０００８】
そこで、本発明の課題は、従来技術の問題点を解消し、ページ上に配置された部品画像それぞれに指定された網点パターンの種類を一覧することができ、また特定の網点パターンが指定されている部品画像を一括して選択することができ、さらに選択した部品画像の網点パターンの変更を容易に行うことができるレイアウト編集装置、レイアウト編集装置における部品画像表示方法、およびプログラムを提供することにある。
【課題を解決するための手段】
【０００９】
かかる課題を解決する為に、請求項１に係る発明は、複数種類の網点パターンが割り当てられた複数の画像部品が配置されたページデータの編集を行うレイアウト編集装置であって、前記部品画像に割り当てられた網点パターンを取得する網点パターン取得手段と、前記網点パターン取得手段により取得された前記網点パターンの名称を表示手段に一覧表示する網点パターン名一覧表示手段と、前記網点パターン名一覧表示手段により表示された網点パターン名一覧より前記網点パターンを指定する網点パターン名指定手段と、前記網点パターン名指定手段により指定された網点パターンが割り当てられた前記部品画像を選択して前記表示手段に表示する部品画像選択表示手段と、を有することを特徴としている。
【００１０】
請求項１に記載のレイアウト編集装置は、複数の部品画像それぞれに割り当てられた異なる種類の網点パターンを取得し、該取得した網点パターン名を一覧表示することにより、網点パターンを指定することが可能となる。一覧表示された網点パターン名が指定されると、該網点パターンが割り当てられた部品画像を選択して表示手段に表示するので、ページ上に配置された部品画像それぞれに指定された網点パターンの種類を一覧することができ、しかも指定した網点パターンが割り当てられた部品画像を一括して選択することができるので、従来技術の問題点の一部を解決することができる。
【００１１】
また請求項２に係る発明は、請求項１に記載のレイアウト編集装置であって、前記部品画像選択表示手段により選択表示された前記部品画像の一つを特定する部品画像特定手段と、前記部品画像特定手段により特定された部品画像に関する部品画像情報を取得して前記表示手段に表示する特定部品画像情報表示手段と、を有することを特徴としている。
【００１２】
請求項２に記載のレイアウト編集装置は、選択表示された部品画像の一つを特定することにより、該特定された部品画像に関する部品画像情報を表示することができるので、従来技術の問題点の一部を解決することができる。
【００１３】
更に請求項３に係る発明は、請求項２に記載のレイアウト編集装置であって、前記特定部品画像情報表示手段に表示される部品画像情報が、前記特定された部品画像に関わるトラッピング、トランスペアレンシー、前記網点パターンの網角度であること、を特徴としている。
【００１４】
請求項３に記載のレイアウト編集装置は、部品画像情報として、特定された部品画像に関わるトラッピング、トランスペアレンシー、網点パターンの網角度を表示するので、従来技術の問題点の一部を解決することができる。
【００１５】
加えて請求項４に係わる発明は、請求項２に記載のレイアウト編集装置であって、前記部品画像特定手段により特定された部品画像に割り当てられた前記網点パターンの変更を行う網点パターン変更手段と、を有することを特徴としている。
【００１６】
請求項４に記載のレイアウト編集装置は、特定された部品画像に割り当てられた網点パターンを変更することにより、選択した部品画像の網点パターンの変更を容易に行うことができるので、従来技術の問題点の一部を解決することができる。
【００１７】
また請求項５に係る発明は、請求項１に記載のレイアウト編集装置であって、前記網点パターン名一覧表示手段において、部品画像に割り当てられた網点パターンについて、ＲＩＰ処理に使用不可能な網点パターン名については別色で表示すること、を特徴としている。
【００１８】
請求項５に記載のレイアウト編集装置は、ＲＩＰ装置におけるＲＩＰ処理においてマルチスクリーニングを行うことができない網点パターンについて、網点パターン名一覧表示時に他の網点パターン名とは異なった色で表示するので、従来技術の問題点の一部を解決することができる。
【００１９】
請求項６に係る発明は、複数種類の網点パターンが割り当てられた複数の画像部品が配置されたページデータの編集を行うレイアウト編集装置における部品画像表示方法であって、前記部品画像に割り当てられた網点パターンを取得する網点パターン取得工程と、前記網点パターン取得工程により取得された前記網点パターンの名称を表示手段に一覧表示する網点パターン名一覧表示工程と、前記網点パターン名一覧表示工程により表示された網点パターン名一覧より前記網点パターンを指定する網点パターン名指定工程と、前記網点パターン名指定工程により指定された網点パターンが割り当てられた前記部品画像を選択して前記表示手段に表示する部品画像選択表示工程と、を有することを特徴としている。
【００２０】
請求項６に記載のレイアウト処理装置における部品画像表示方法は、複数の部品画像それぞれに割り当てられた異なる種類の網点パターンを取得し、該取得した網点パターン名を一覧表示することにより、網点パターンを指定することが可能となる。一覧表示された網点パターン名が指定されると、該網点パターンが割り当てられた部品画像を選択して表示手段に表示するので、ページ上に配置された部品画像それぞれに指定された網点パターンの種類を一覧することができ、しかも指定した網点パターンが割り当てられた部品画像を一括して選択することができるので、従来技術の問題点の一部を解決することができる。
【００２１】
また請求項７に係わる発明は、請求項６に記載のレイアウト処理装置における部品画像表示方法であって、前記部品画像選択表示工程により選択表示された前記部品画像の一つを特定する部品画像特定工程と、前記部品画像特定工程により特定された部品画像に関する部品画像情報を取得して前記表示手段に表示する特定部品画像情報表示工程と、を有することを特徴としている。
【００２２】
請求項７に記載のレイアウト処理装置における部品画像表示方法は、選択表示された部品画像の一つを特定することにより、該特定された部品画像に関する部品画像情報を表示することができるので、従来技術の問題点の一部を解決することができる。
【００２３】
加えて請求項８に係る発明は、一般的に使用されているコンピュータにおいて、複数種類の網点パターンが割り当てられた複数の画像部品が配置されたページデータの編集を行うレイアウト編集装置を実現するためのプログラムであって、前記部品画像に割り当てられた網点パターンを取得する網点パターン取得機能と、前記網点パターン取得機能により取得された前記網点パターンの名称を表示手段に一覧表示する網点パターン名一覧表示機能と、前記網点パターン名一覧表示機能により表示された網点パターン名一覧より前記網点パターンを指定する網点パターン名指定機能と、前記網点パターン名指定機能により指定された網点パターンが割り当てられた前記部品画像を選択して前記表示手段に表示する部品画像選択表示機能と、を有することを特徴としている。
【００２４】
請求項８に記載のプログラムは、一般的に使用されているコンピュータにおいて、複数の部品画像それぞれに割り当てられた異なる種類の網点パターンを取得し、該取得した網点パターン名を一覧表示することにより、網点パターンを指定することが可能となる。一覧表示された網点パターン名が指定されると、該網点パターンが割り当てられた部品画像を選択して表示手段に表示するので、ページ上に配置された部品画像それぞれに指定された網点パターンの種類を一覧することができ、しかも指定した網点パターンが割り当てられた部品画像を一括して選択するという諸機能を実現することができるので、従来技術の問題点の一部を解決することができる。
【発明を実施するための最良の形態】
【００２５】
以下、図面を利用しながら、本発明を実施するための最良の形態について、説明を行なう。
【実施例１】
【００２６】
図1は、本発明に係わるレイアウト編集システム１００の構成を説明するための図である。レイアウト編集システム１００におけるレイアウト編集装置１は、一般的に使用されているパーソナルコンピュータであり、ＣＰＵ１１、表示部１２、入力部１３、ネットワークＩ／Ｆ１４、メディアドライブ１５、記憶部１６、メモリ１７より構成されている。
ＣＰＵ１１は、レイアウト編集装置１全体を制御し、特にメディアドライブ１５に挿入されたメディアディスク１８に記録されているプログラム１６１をメモリ１７において実行することによって、レイアウト編集装置１の機能を実現している。
表示部１２は、レイアウト編集に必要な情報を表示するために使用されるものであり、特に部品画像ＢＺに割り当てられた網点パターン名ＡＰの一覧や、網点パターンＡＰが指定された場合に該網点パターンＡＰが割り当てられた部品画像ＢＺの表示を行う。
入力部１３は、マウスやキーボードで構成されており、レイアウト編集装置１に対してオペレータが指示を入力するために使用する。
ネットワークＩ／Ｆ１４は、レイアウト編集装置１とネットワーク４とを接続するためのものである。ネットワークＩ／Ｆ１４を介して、レイアウト編集装置１はネットワーク４に接続されているデザイナー端末２から、網点パターンＡＰが部品画像ＢＺそれぞれに割り当てられたページデータＰＤを受信する。また、ネットワークＩ／Ｆ１４を介して、ＲＩＰ装置３から、該ＲＩＰ装置３で使用している網点パターン情報ＡＰＪを受信する。そして、ネットワークＩ／Ｆ１４を介して、ＲＩＰ装置３に網点パターン確認・編集後のページデータＰＤを送信する。さらに、図示しないサーバより、レイアウト編集装置１の機能を実現するプログラムをダウンロードすることも可能である。
メディアドライブ１５は、メディアディスク１８に記録されているプログラム１６１を読み取るために使用する。メディアドライブ１５で読み取られたプログラム１６１により、レイアウト編集装置１の機能が実現される。あるいは、メディアドライブ１５は、網点パターン情報ＡＰＪが格納されたメディアドライブ１８を読み取ることにも使用される。
記憶部１６は、メディアドライブ１５で読み取られたプログラム１６１を格納する。また、記憶部１６は、ページデータＰＤ、網点パターン情報ＡＰＪを記憶する。
【００２７】
メモリ１７は、記憶部１６によって記憶されたプログラム１６１をＣＰＵ１１が実行するためのワークエリアである。ＣＰＵ１１によってプログラム１６１が実行された結果、メモリ１７において、網点パターン取得部１７１、網点パターン名一覧表示部１７２、部品画像選択表示部１７３、部品画像特定部１７４の機能が実現する。
【００２８】
網点パターン取得部１７１は、ページデータＰＤから該ページデータＰＤが表現するページ上に配置された部品画像ＢＺそれぞれに割り当てられた網点パターンＡＰを取得する。部品画像ＢＺに対する網点パターンＡＰの割当は、デザイナー端末２において既に行なわれているか、あるいはレイアウト編集装置１の図示しない網点パターン割当部により、行なわれている。網点パターン取得部１７１は、ページデータＰＤを解析することにより、部品画像ＢＺそれぞれに割り当てられた網点パターンＡＰを取得し、一時的に記憶する。
【００２９】
網点パターン名一覧表示部１７２は、網点パターン取得部１７１により取得された網点パターンＡＰの名称を、表示部１２に一覧表示する。網点パターン名一覧表示部１７２は、網点パターン取得部１７１に一時的に記憶された網点パターンＡＰを読み取ることにより、該網点パターンＡＰの一覧を表示部１２に表示する。
【００３０】
また、網点パターン名一覧表示部１７２は、網点パターン比較部１７２１を備えている。網点パターン比較部１７２１は、網点パターン取得部１７１が取得した網点パターンＡＰとＲＩＰ装置３から受信した網点パターン情報ＡＰＪとを比較する。網点パターン情報ＡＰＪは、ＲＩＰ装置３において使用されている網点パターンＡＰに関する情報であり、網点パターン情報ＡＰＪに格納されている内容はＲＩＰ装置３においてマルチスクリーニングに供しうる網点パターンＡＰ、および網角度に関するものである。網点パターン比較部１７２１は、網点パターン取得部１７１が取得した網点パターンＡＰと、網点パターン情報ＡＰＪとを比較して、ページデータＰＤの表現するページ上に配置された部品画像ＢＺに割り当てられた網点パターンＡＰが、ＲＩＰ装置３においてＲＩＰ（スクリーニング）の際に使用し得るかを判定する。
網点パターン名一覧表示部１７２は、網点パターン比較部１７２１の比較結果を受けて、網点パターン取得部１７１により取得した網点パターンＡＰがＲＩＰ装置３におけるＲＩＰ処理に使用し得る場合、逆に網点パターンＡＰがＲＩＰ装置３におけるＲＩＰ処理に使用し得ない場合とで、網点パターン名表示時の表示色を変更する。これにより、ＲＩＰ装置３でＲＩＰし得ない網点パターンＡＰ名を容易に確認することができる。
【００３１】
部品画像選択表示部１７３は、ページデータＰＤを解析し、該ページデータＰＤが表現するページ内容を表示部１２に表示するに際して、部品画像ＢＺについて選択表示を行う。レイアウト編集装置１のオペレータが、入力部１３を操作して、網点パターン名一覧表示部１７２により表示された網点パターン名を指定すると、部品画像選択表示部１７３が、該指定された網点パターン名に対応する網点パターンＡＰが割り当てられた部品画像ＢＺを検索する。そして検索された部品画像ＢＺについて、部品画像選択表示部１７３が他の部品画像とは異なった表示を行うことにより、表示部１２において該部品画像ＢＺが選択表示される。部品画像選択表示部１７３は、網点パターンＡＰが割り当てられた全ての部品画像ＢＺについて、選択表示を行う。部品画像ＢＺの選択表示は、他の部品画像と異なった表示であれば、その手法は問わない。例えば、ハイライト表示、反転表示、部品画像の輪郭に対する縁取り表示などを採用することができる。
【００３２】
部品画像特定部１７４は、部品画像選択表示部１７３により選択表示された部品画像ＢＺの一つを特定する。レイアウト編集装置１のオペレータが入力部１３を操作して、表示部１２に選択表示された部品画像ＢＺの一つを指定すると、部品画像特定部１７４は、該指定された部品画像ＢＺが特定されたものとして、表示部１２に表示を行う。特定された部品画像ＢＺの表示については、他の選択表示された部品画像と異なった表示であれば、その手法は問わない。例えば、選択表示された部品画像とは異なった階調でのハイライト表示、異なった明度での反転表示、あるいは異なった色縁を付しての表示などを行うようにしてもよい。部品画像特定部１７４が特定した部品画像ＢＺについては、後述する機能による処理が行なわれる。
【００３３】
部品画像特定部１７４は、特定した部品画像ＢＺに対する処理のため、特定部品画像情報表示部１７４１、網点パターン変更部１７４２を備えている。
特定部品画像情報表示部１７４１は、ページデータＰＤを解析することにより、部品画像特定部１７４が特定した部品画像ＢＺに関する情報を取得して表示を行う。特定部品画像情報表示部１７４１が表示する部品画像ＢＺの情報としては、該部品画像ＢＺに関わるトラッピング、トランスペアレンシー、該部品画像ＢＺに割り当てられた網点パターンＡＰの網角度などである。
トラッピングとは、部品画像ＢＺに対して付与されたトラッピング図形に関する情報である。異なる色を有する図形同士が隣接した場合、隣接部分に印刷時の白抜けを防ぐための図形を図形の双方、あるいはいずれかに付与することが一般的に行なわれる。これをトラッピングと称する。特定部品画像情報表示部１７４１は、特定された部品画像ＢＺにトラッピング図形が付与されている場合、そのトラッピング図形に関する情報を表示する。
トランスペアレンシーとは、部品画像ＢＺに対して付与された透過属性に関する情報である。部品画像同士が重ね合わせられた場合、一方については重ね合わせられた部分について表示しないよう（すなわち上位図形の該部分は透過して、下位図形が表示される）に設定が行なわれていることがある。これをトランスペアレンシーと称する。特定部品画像情報表示部１７４１は、特定された部品画像ＢＺのトランスペアレンシーに関する情報を表示し、また該特定された部品画像ＢＺがどの部品画像に対してトランスペアレンシーが設定されているのかを表示する。
網点パターンＡＰの網角度とは、部品画像ＢＺに割り当てられた網点パターンＡＰによる印刷が行なわれる際、網点パターンＡＰにより規定される網点の角度に関する情報である。多色（例えば、イエロー、マゼンダ、シアン、ブラック）印刷を行なう際、用紙上の同一点に各色版の網点が重ね合わされることがないよう、そして、網点の干渉によるモアレを防ぐため、網点はそれぞれ特定の角度を有して用紙上に印刷されるよう規定されている。特定部品画像情報表示部１７４１は、特定された部品画像ＢＺに割り当てられた網点パターンＡＰより、該網点パターンＡＰが指定された各色版における網角度に関する情報を表示する。
【００３４】
網点パターン変更部１７４２は、部品画像特定部１７４により特定された部品画像ＢＺに割り当てられた網点パターンＡＰを変更する。特定された部品画像ＢＺにおいて、網点パターン名一覧表示部１７２にて、ＲＩＰ装置３で使用不可能な網点パターンＡＰが割り当てられていることが判明した場合、あるいは色濃度の関係からシアン版（Ｃ版）とマゼンダ版（Ｍ版）との網角度を変更した方が良い場合など、割り当てられた網点パターンＡＰの変更を行うため、網点パターン変更部１７４２は機能する。レイアウト編集装置１のオペレータによって入力部１３が操作され、特定された部品画像ＢＺについて網点パターン変更が指示された場合、網点パターン変更部１７４２は該部品画像ＢＺに割り当てられた網点パターンＡＰについて、網点パターンＡＰそのものを変更する。あるいは、網点パターン変更部１７４２は、該部品画像ＢＺに割り当てられた網点パターンＡＰにおける色版ごとの網角度について、変更を行う。
なお、網点パターン変更部１７４２による網点パターンＡＰの変更については、ＲＩＰ装置３から受信した網点パターン情報ＡＰＪを利用するして行うのが望ましい。この場合、ＲＩＰ装置３で使用可能な網点パターンＡＰから変更すべき網点パターンＡＰを選択することができる、という利点がある。
【００３５】
図２は、レイアウト編集システム１００、特にレイアウト編集装置１の動作を説明するためのフローチャートである。
まず、ステップＳ１において、レイアウト編集装置１は、ＲＩＰ装置３から網点パターン情報ＡＰＪを受信する。レイアウト編集装置１は、ネットワーク４を介して接続されたＲＩＰ装置３に対して網点パターン情報ＡＰＪの送信を要求する。ＲＩＰ装置３は該要求を受けて、網点パターン情報ＡＰＪを送信する。網点パターン情報ＡＰＪは、ネットワーク４を経て、ネットワークＩ／Ｆ１４を介して、レイアウト編集装置１の記憶部１６に格納される。
あるいは、ＲＩＰ装置３がメディアディスク１８に格納した網点パターン情報ＡＰＪを、メディアドライブ１５を使用して読み取り、記憶部１６に格納するようにしてもよい。
【００３６】
ステップＳ２では、レイアウト編集装置１は、デザイナー端末２からページデータＰＤを受信する。デザイナー端末２は、図示しない編集部によりページデータＰＤを作成し、図示しない送信部によって、ネットワーク４を介して接続されたレイアウト編集装置１に、ページデータＰＤを送信する。レイアウト編集装置１は、ネットワーク４を経て、ネットワークＩ／Ｆ１４を介して送信されたページデータＰＤを、記憶部１６に格納する。
なお、ステップＳ１とステップＳ２とは、その順序が逆であってもよい。
【００３７】
ステップＳ３において、レイアウト編集装置１の網点パターン取得部１７１が、ページデータＰＤを解析して、該ページデータＰＤが表現するページ上に配置された部品画像ＢＺに割り当てられた網点パターンＡＰを取得する。ページデータＰＤにおいては、レイアウト編集装置１の図示しない網点パターン割当部により、部品画像ＢＺそれぞれに異なる種類の網点パターンＡＰが割り当てられたか、あるいはデザイナー端末２において作成された時点で、部品画像ＢＺにそれぞれ異なる種類の網点パターンＡＰが割り当てられている。
【００３８】
図３は、ページデータＰＤの構成を説明するための図である。図３に示しているように、ページデータＰＤにおいて、ページサイズは「２１０×２９７（ｍｍ）」であり、オフセット原点（０，０）に対して、それぞれオフセットが（１０，１０）、（１０，１００）、（１００，１００）である部品図形ＢＺ１、ＢＺ２、ＢＺ３が配置されていることが示されている。また、ページデータＰＤの表現するページ上に配置された部品図形ＢＺについては、それぞれ下記のように示されている。
すなわち、部品図形ＢＺ１については、部品図形ＢＺ１の形状が円であり、部品図形ＢＺ１におけるＹＭＣＫ色濃度は、「Ｙ／５０％、Ｍ／３０％、Ｃ／３０％、Ｋ／０％」である。また、部品画像ＢＺ１に割り当てられた網点パターンＡＰは「square」であり、各版における網角度は「Ｙ／１５°、Ｍ／３０°、Ｃ／６０°、Ｋ／９０°」が規定されている。同様に、部品図形ＢＺ２、ＢＺ３についても、図示しているように、ページデータＰＤにて示されている。
【００３９】
従って、網点パターン取得部１７１は、図３に図示しているようなページデータＰＤを解析することにより、部品図形ＢＺそれぞれに割り当てられた異なった種類の網点パターンＡＰを取得することができる。図４は、網点パターン取得部１７１によって、図３から網点パターンＡＰを取得した結果である網点パターンリストＡＰＬを示したものである。図示しているように、網点パターン取得部１７１は、ページデータＰＤから２種類の網点パターンＡＰ「squareAP」、「chainAP」を取得しており、それぞれの網点パターンＡＰが割り当てられた部品図形ＢＺと関連付けている。こうして、網点パターン取得部１７１は、取得した網点パターンリストＡＰＬを一時的に記憶し、後述する処理に供する。
なお、ここまでの説明では、ページデータＰＤに配置された部品図形ＢＺの数が３であり、割り当てられた網点パターンＡＰの種類は２であるが、それぞれこの数に限られたものではない。
【００４０】
図２に戻って、ステップＳ４で、網点パターン名一覧表示部１７２が、網点パターンリストＡＰＬを参照して、部品図形ＢＺに割り当てられた網点パターン名の一覧を表示部１２に表示する。また、ステップＳ４において、網点パターン比較部１７２１は、網点パターンリストＡＰＬとＲＩＰ装置３から送信された網点パターン情報ＡＰＪとを比較して、ＲＩＰ装置３では使用不可能な網点パターンＡＰの名称については、例えば一覧表示の際に他の網点パターン名の表示とは別色で表示を行うなど、区別した表示を行う。
【００４１】
図５は、網点パターン名一覧表示部１７２が、表示部１２に網点パターン名の一覧表示を行っている状態を示した図である。網点パターン名一覧表示部１７２は、網点パターン取得部１７１によって取得された網点パターンリストＡＰＬを参照して、網点パターン名一覧表示領域ＡＰＷを表示部１２に表示する。図示しているように、網点パターン名一覧表示領域ＡＰＷでは、図３に示したページデータＰＤから取得した網点パターンＡＰの一覧として、「squareAP」、「chainAP」が表示されている。
また、網点パターン比較部１７２１は、網点パターンリストＡＰＬと網点パターン情報ＡＰＪとを比較して、ＲＩＰ装置３では使用不可能な網点パターンＡＰの名称について別色で表示する。図５では、「chainAP」がＲＩＰ装置３では使用不可能な網点パターンＡＰであるとして、ハッチング処理を行った状態で網点パターン名「chainAP」が表示されている。
【００４２】
図２に再び戻って、ステップＳ５では、網点パターン名一覧表示部１７２によって表示された網点パターン名の指定について待機している。オペレータが入力部１３を操作して、網点パターン名一覧表示領域ＡＰＷに表示された網点パターン名を指定すると、ステップＳ６へ移行する。
【００４３】
ステップＳ６において、部品画像選択表示部１７３が、オペレータによって指定された網点パターン名に対応する網点パターンＡＰが割り当てられた部品図形ＢＺを、選択表示する。部品画像選択表示部１７３は、網点パターン名が指定されると、網点パターンリストＡＰＬを参照して、該網点パターン名に対応する網点パターンＡＰを取得し、該網点パターンＡＰが割り当てられている部品画像ＢＺについて検索を行う。部品画像選択表示部１７３は、検索した部品画像ＢＺについて、網点パターン名が指定されたことにより部品図形ＢＺが選択されたことを示す選択表示を、表示部１２において行う。
【００４４】
図６は、部品画像選択表示部１７３による部品画像ＢＺの選択表示を説明するための図である。図示しているように、表示部１２に表示された網点パターン名一覧表示領域ＡＰＷにおいて、網点パターン名「squareAP」がオペレータによって指定されると、部品画像選択表示部１７３が、網点パターンＡＰ「squareAP」が割り当てられた部品画像を検索する。部品画像選択表示部１７３は、網点パターンリストＡＰＬを参照して、網点パターンＡＰ「squareAP」が割り当てられた部品画像がＢＺ１、ＢＺ３であることを検索する。そして、部品画像選択表示部１７３は、検索された部品画像ＢＺ１、ＢＺ３について、それぞれの外縁に選択表示領域ＳＡを付与して、表示部１２に表示する。
すなわち、レイアウト編集装置１のオペレータが、網点パターン名を指定するだけで、該網点パターン名に対応する網点パターンＡＰが割り当てられた部品画像ＢＺについて選択表示されるため、表示されたページにおいて使用されている網点パターンＡＰ、並びに指定された部品画像ＢＺに使用されている網点パターンＡＰを一括して確認することができるので、ページデータＰＤの検収をする際、ページ上の部品画像を逐一指定して、網点パターンを調べるようなことをせずに済み、工数の節約に寄与する。
なお、部品画像選択表示部１７３による部品画像ＢＺの選択表示については、上記説明した手法以外による選択表示を行うようにしてもよい。
【００４５】
図２に戻り、ステップＳ７では、部品画像特定部１７４による選択表示された部品画像ＢＺの特定について待機している。オペレータが入力部１３を操作して、ステップＳ６で選択表示された部品画像ＢＺを指定すると、ステップＳ８へ移行する。
【００４６】
ステップＳ８において、部品画像特定部１７４が、オペレータによって指定された選択表示された部品図形ＢＺについて、特定されたものとして表示する。オペレータは、表示部１２に選択表示された部品画像ＢＺのうち、一つを入力部１３を操作して、指定する。部品画像特定部１７４は、該指定された部品図形ＢＺについて、後述する処理を行うため特定されたものとして、表示を行う。
【００４７】
図７は、ステップＳ８における部品画像特定部１７４の動作によって、選択表示された部品画像ＢＺ１が特定された状態を説明するための図である。オペレータが表示部１２に表示された選択表示されている部品画像ＢＺ１を入力部１３を操作して指定すると、図示しているように、部品画像特定部１７４が、部品画像ＢＺ１は特定されたものとして、その外縁に特定表示領域ＴＡを付与する。
【００４８】
図２に再び戻り、ステップＳ９では、部品画像特定部１７４によって特定された部品画像ＢＺに対する処理を実行する。
図８は、ステップＳ９で行なわれる処理について説明するためのフローチャートである。ステップＳ８１において、特定部品画像情報表示部１７４１が、ステップＳ８で特定された部品画像ＢＺに関する部品画像情報を表示部１２に表示する。
【００４９】
図９は、表示部１２に表示される部品画像情報を説明するための図である。特定部品画像情報表示部１７４１は、ステップＳ８で特定された部品画像ＢＺ１について、ページデータＰＤを解析して取得することにより、表示部１２に表示する。図９では、図７に示した部品画像ＢＺ１が特定されたものとして、図３に示したページデータＰＤから、特定部品画像情報表示部１７４１が部品画像ＢＺ１に関する部品画像情報を取得して表示している。図示しているように、部品画像ＢＺ１に関する部品情報として、部品画像名、オフセット、色濃度、網点パターン、網角度、トラッピング、トランスペアレンシーについて、特定部品画像情報表示部１７４１が表示している。ここでは、トラッピング、トランスペアレンシーともに設定されていないので、該項目それぞれに関する表示は行なわれていない。また、網角度において、「Ｃ→６０」だけ強調表示されているのは、Ｃ版に対する網角度が設定されているにも関わらず、部品画像ＢＺ１に割り当てられた網点パターンＡＰにおいて、６０°の網角度が存在しないためである。
【００５０】
オペレータは、ステップＳ８１で表示された部品画像情報を確認し、変更の有無を判断する。変更が必要ない、とオペレータが判断した場合、ステップＳ８５へ移行する、一方、オペレータが変更を行うと判断した場合、ステップＳ８３へ移行する。
【００５１】
ステップＳ８３は、変更が必要と判断された部品画像ＢＺに対する変更処理を行う。ここでは、特に部品画像ＢＺに割り当てられた網点パターンＡＰの変更、あるいは網角度の変更を行うものとして、他の項目の変更については説明を省略する。ステップＳ８３において、部品画像ＢＺの網点パターンについて変更を行うに際して、網点パターン変更部１７４２が起動し、オペレータの指示に従って、部品画像ＢＺに対する変更を実行する。
【００５２】
図１０は、網点パターン変更部１７４２により、部品画像ＢＺに割り当てられた網点パターンＡＰの変更、あるいは網角度の変更を行うために表示部１２に表示される網点パターン変更メニューＭＡＰを説明するための図である。網点パターン変更メニューＭＡＰは、部品画像ＢＺに対する網点パターンＡＰの変更、あるいは網角度の変更を行うため、部品画像名表示欄１０１、網点パターン選択欄１０２、網角度指定欄１０３、ＯＫボタン１０４、キャンセルボタン１０５を備えている。
【００５３】
部品画像名表示欄１０１は、部品画像特定部１７４で特定された部品画像ＢＺの名称が表示される。
【００５４】
網点パターン選択欄１０２は、部品画像ＢＺに割り当てられた網点パターンＡＰを変更する際に入力を行う。網点パターン変更部１７４２は、ＲＩＰ装置３から送信された網点パターン情報ＡＰＪを参照して、ＲＩＰ装置３において使用可能な網点パターンＡＰの名称を、この網点パターン選択欄１０２に表示する。オペレータは、入力部１３を操作して、網点パターン選択欄１０２に表示された網点パターン名を一つ指定する。網点パターン変更部１７４２は、部品画像ＢＺに割り当てられた網点パターンＡＰについて、指定された網点パターン名に対応する網点パターンＡＰに割当を変更する。
【００５５】
網角度指定欄１０３は、部品画像ＢＺを印刷するための色版における網角度を変更するために使用する。図示しているように、網角度指定欄１０３は、部品画像ＢＺを印刷するための色版Ｙ、Ｍ、Ｃ、Ｋそれぞれに網角度を入力できるようになっている。網点パターン変更メニューＭＡＰの当初の表示時では、この網角度指定欄１０３において、部品画像ＢＺに割り当てられた網角度が表示されている。オペレータは、所望の版に対する網角度を変更する際、入力部１３を操作して、当初の表示を削除して、新規に網角度の入力を行う。
なお、ここでＣ版に対する網角度の表示が他の網角度の表示と異なっているのは、Ｃ版に指定した６０°の網角度が網点パターンＡＰにおいて使用できないためである。
【００５６】
ＯＫボタン１０４は、網点パターン変更メニューＭＡＰに対する入力を満足した場合、オペレータが押下する。ＯＫボタン１０４が押下されると、網点パターン変更部１７４２は網点パターン変更メニューＭＡＰに対して行なわれた入力で、部品画像ＢＺに割り当てられた網点パターンＡＰの変更、あるいは網角度の変更を行なうものとして、網点パターン変更メニューＭＡＰの表示を中止する。キャンセルボタン１０５が押下された場合、網点パターン変更部１７４２は、オペレータによる変更が中断されたものとして、網点パターン変更メニューＭＡＰの表示を中止する。
【００５７】
図８に戻って、ステップＳ８４において、部品画像特定部１７４による部品画像ＢＺの特定について変更を行うか否かを、オペレータが判断する。
部品画像ＢＺの特定を変更する、とオペレータが判断した場合、ステップＳ８５へ移行して、オペレータは入力部１３を操作して、表示部１２に選択表示されている部品画像ＢＺから、特定されている部品画像ＢＺ以外の部品画像を指定する。この部品画像指定手法については、入力部１３を操作して、表示部１２に選択表示されている部品画像ＢＺを直接指定して良いし、あるいは部品画像ＢＺの特定を変更するためのメニュー画面を表示部１２に表示するようにしてもよい。また、部品画像ＢＺの特定を変更する順序としては、オペレータが所望する順序でも良いし、部品画像ＢＺの作成順でもよい。部品画像ＢＺの特定が変更されたならば、ステップＳ８１へ帰還する。
部品画像ＢＺの特定を変更しない場合は、図２のフローチャートのステップＳ１０へ帰還する。
【００５８】
図２のフローチャートにおけるステップＳ１０において、ページデータＰＤに対する編集作業を終了するか否かをオペレータが判断する。終了しない、と判断した場合、ステップＳ４へ帰還して、これまで説明を行った部品画像ＢＺに割り当てられた網点パターンＡＰに関する処理を繰り返す。終了する、と判断した場合、レイアウト編集装置１は、これまで説明を行った処理でページデータＰＤの編集が行なわれたものとして、記憶部１６に編集済みのページデータＰＤを格納する。
【００５９】
このように、図１に示したレイアウト編集装置１が、図２に示したフローチャートのように動作することにより、ページ上に配置された部品画像それぞれに指定された網点パターンの種類を一覧することができ、しかも指定した網点パターンが割り当てられた部品画像を一括して選択することができる。また、選択された部品画像を特定して、容易に該部品画像に関する情報を確認することができ、あるいは容易に該部品画像に割り当てられた網点パターンを変更することができる。
「変形例」
なお、ここまでの説明では、部品画像ＢＺの特定による部品画像情報の表示と、特定された部品画像ＢＺの網点パターンＡＰの変更、あるいは網角度の変更が別個に行なわれるよう、説明を行ってきたが、部品画像情報の表示と網点パターンＡＰの変更、あるいは網角度の変更を同時に行うことができるよう、図８のステップＳ８１とＳ８３とを並列的に行うような処理にしてもよい。
【００６０】
また、レイアウト編集装置１とデザイン端末２とが一体となるようにしてもよい。この場合、ページデータＰＤの転送プロセスが不要となる。
【００６１】
あるいは、レイアウト編集装置１とＲＩＰ装置３とが一体となるようにしてもよい。この場合、網点パターン情報ＡＰＪの転送プロセスが不要となる。
【００６２】
そして、レイアウト編集装置１とデザイン端末２、ＲＩＰ装置３とが一体となるよう構成してもよい。
【００６３】
加えて、ここまでの説明では、網点パターンＡＰの種類について、「square」、「chain」、「sand」としてきたが、これ以外の種類の網点パターンＡＰを使用することもできる。さらに、網点の種類としてＡＭ網点、ＦＭ網点、いずれについても、本発明に適用しうる。
【図面の簡単な説明】
【００６４】
【図１】レイアウト編集システム１００、特にレイアウト編集装置１の構成を説明するための図である。
【図２】レイアウト編集装置１の動作を説明するためのフローチャートである。
【図３】ページデータＰＤの構成を説明するための図である。
【図４】網点パターンリストＡＰＬを説明するための図である。
【図５】網点パターン名一覧表示領域ＡＰＷを説明するための図である。
【図６】部品画像ＢＺが選択表示された状態を説明するための図である。
【図７】選択表示された部品画像ＢＺの一つが特定された状態を説明するための図である。
【図８】特定された部品画像ＢＺに対する処理を説明するためのフローチャートである。
【図９】部品画像情報表示を説明するための図である。
【図１０】網点パターン変更メニューＭＡＰを説明するための図である。
【符号の説明】
【００６５】
１  レイアウト編集装置
２  デザイナー端末
３  ＲＩＰ装置
４  ネットワーク
１１  ＣＰＵ
１２  表示部
１３  入力部
１４  ネットワークＩ／Ｆ
１５  メディアドライブ
１６  記憶部
１７  メモリ
１８  メディアディスク
１００  レイアウト編集システム
１０１  部品画像表示欄
１０２  網点パターン選択欄
１０３  網角度指定欄
１０４  ＯＫボタン
１６１  プログラム
１７１  網点パターン取得部
１７２  網点パターン名一覧表示部
１７３  部品画像選択表示部
１７４  部品画像特定部
１７２１  網点パターン比較部
１７４１  特定部品画像情報表示部
１７４２  網点パターン変更部
ＡＰ  網点パターン
ＡＰＪ  網点パターン情報
ＡＰＬ  網点パターンリスト
ＢＺ、ＢＺ１〜３  部品画像
ＭＡＰ  網点パターン変更メニュー
ＰＤ  ページデータ
ＳＡ  選択表示領域
ＴＡ  特定表示領域
【図１】
2005141534.tif 000003
【図２】
2005141534.tif 000004
【図３】
2005141534.tif 000005
【図４】
2005141534.tif 000006
【図５】
2005141534.tif 000007
【図６】
2005141534.tif 000008
【図７】
2005141534.tif 000009
【図８】
2005141534.tif 000010
【図９】
2005141534.tif 000011
【図１０】
2005141534.tif 000012